(57)【要約】【課題】異なる車種間で併用する際やマイナーチェンジなどで回路の変更があった場合にも莫大な費用を発生することなく、回路変更を容易に行うことができる自動車用ジャンクションボックスの提供。【解決手段】ヒューズ上流側配線とヒューズ下流側配線とがヒューズを介して接続された電源体系を有する自動車用ジャンクションボックスにおいて、ヒューズ上流側が個別のバスバーで構成され、ヒューズ下流側が基板と該基板に接続されたタブ端子とによって構成されたことを特徴とする自動車用ジャンクションボックス。【選択図】図２
2007215372.tif 000002
【特許請求の範囲】
【請求項１】
ヒューズ上流側配線とヒューズ下流側配線とがヒューズを介して接続された電源体系を有する自動車用ジャンクションボックスにおいて、
ヒューズ上流側が個別のバスバーで構成され、ヒューズ下流側が基板と該基板に接続されたタブ端子とによって構成されたことを特徴とする自動車用ジャンクションボックス。
【請求項２】
ジャンクションボックスとは別体のジョイントコネクタによって回路のジョイント部分が形成されていることを特徴とする請求項１に記載の自動車用ジャンクションボックス。
【請求項３】
基板とタブ端子とがフロー半田で接続されていることを特徴とする請求項１又は２に記載の自動車用ジャンクションボックス。
【請求項４】
基板とタブ端子とが半田ロボットで接続されていることを特徴とする請求項１又は２に記載の自動車用ジャンクションボックス。
【請求項５】
基板とタブ端子とが接続部にバネ性を有するプレスフィット端子で接続されていることを特徴とする請求項１又は２に記載の自動車用ジャンクションボックス。
【請求項６】
基板とタブ端子とがフロー半田で接続されていることを特徴とする請求項１又は２に記載の自動車用ジャンクションボックス。
【発明の詳細な説明】
【技術分野】
【０００１】
本発明は、自動車用ジャンクションボックスに関する。
【背景技術】
【０００２】
従来、自動車用ジャンクションボックス（自動車用電気接続箱等とも称される。）の配線媒体としては、銅系の材料を打ち抜き、曲げ加工などを施したバスバー（ブスバー等とも称される。）が主流となっている（例えば、特許文献１〜５参照。）。
【０００３】
特許文献１には、導電路を構成するバスバーの両側縁の適宜箇所に打出しによりバスバーの幅から突出する圧入片を設け、絶縁基板にバスバーの幅よりも広くかつ両側縁の圧入片間の外法よりも狭い幅を持つ溝を設けると共に、溝の圧入片に対応する位置に屑収容溝を設け、溝にバスバーの両側縁の圧入片を圧入してバスバーを絶縁基板に固定すると共に、圧入片の溝への圧入時に生じる絶縁基板の削り屑を屑収容溝に収容し得るようにしたバスバーと絶縁基板の固定構造が開示されている。
特許文献２には、所望のパターンを有する複数のバスバーを絶縁基板に配設してなるバスバー配線板において、複数のバスバーが導電率の異なる二種以上の導電性金属板から選択的に打抜き形成されているバスバー配線板が開示されている。
特許文献３には、素材から内部回路を形成する形状に打ち抜き折り曲げてできた数種のバスバーを、ブリッジをカットせずに各層のバスバーのブリッジの位置を合わせて所望の間隔をあけて積み重ね、積み重ねたバスバーを絶縁材料によって一括して成型した後、各層のバスバーのブリッジをカットする電気接続箱の製造方法が開示されている。
特許文献４には、隣合うバスバー間に連結片を残して所望の回路パターンを有する複数のバスバーを金属板から一体に打抜いてバスバー回路網板を形成し、回路網板を合成樹脂絶縁体により一体にモールドした後、連結片を切断除去すると共に、バスバーの所望の位置にタブ圧入孔を開孔し、タブ圧入孔に外部接続用のタブを圧入固定することによりバスバー回路板を形成し、連結片の切断除去により生じた切断分離部に接着性の樹脂を注入充填してバスバー回路板を積層固定するバスバー回路板の製造方法が開示されている。
特許文献５には、配線基板の上に複数の所望のパターンを有するバスバーを所定の位置的関係をもって配設し、各バスバーには端部の折り曲げにより必要なタブ状端子を形成して成るバスバー配線板の製造に際し、複数のバスバーのなかで前記タブ状端子が展開状態にあるときに互に干渉するためにその打抜きスペースをパターン形成に利用できない関係にある隣接するバスバーを選び分けることにより、複数のバスバーを少なくとも２つの干渉のないバスバー群に分け、分画された各バスバー群を、該バスバー群を構成する複数のバスバー間に夫々つなぎを残して一枚の導電性金属薄板から打抜いて、必要なタブ状端子を形成することにより作製し、各バスバー群を構成する複数のバスバー相互間のつなぎを切断分離した後、分離された各バスバーを前記所定の位置的関係に従って配線基板の上に配設するバスバー配線板の製造方法が開示されている。
【特許文献１】実公平７−４７９３２号公報
【特許文献２】特許第２５０３３１６号公報
【特許文献３】特許第２５５５０５２号公報
【特許文献４】特許第２５６１９４８号公報
【特許文献５】特許第２７３３５２１号公報
【発明の開示】
【発明が解決しようとする課題】
【０００４】
前述したように、従来、自動車用ジャンクションボックスのバスバーは、銅板をプレスで打ち抜き、曲げなどによって作製しているため、設備や金型作製に莫大な費用がかかり、例えば車体のマイナーチェンジに合わせた回路変更などがあった場合、莫大な費用が発生してしまうといった問題があった。また、こうした事情により、異なる車種間の共用も困難となっている。
【０００５】
本発明は、前記事情に鑑みてなされ、異なる車種間で併用する際やマイナーチェンジなどで回路の変更があった場合にも莫大な費用を発生することなく、回路変更を容易に行うことができる自動車用ジャンクションボックスの提供を目的とする。
【課題を解決するための手段】
【０００６】
前記目的を達成するため、本発明は、ヒューズ上流側配線とヒューズ下流側配線とがヒューズを介して接続された電源体系を有する自動車用ジャンクションボックスにおいて、ヒューズ上流側が個別のバスバーで構成され、ヒューズ下流側が基板と該基板に接続されたタブ端子とによって構成されたことを特徴とする自動車用ジャンクションボックスを提供する。
【０００７】
本発明の自動車用ジャンクションボックスにおいて、ジャンクションボックスとは別体のジョイントコネクタによって回路のジョイント部分が形成されていることが好ましい。
【０００８】
本発明の自動車用ジャンクションボックスにおいて、基板とタブ端子とがフロー半田で接続されている構成とすることが好ましい。
【０００９】
本発明の自動車用ジャンクションボックスにおいて、基板とタブ端子とが半田ロボットで接続されている構成としてもよい。
【００１０】
本発明の自動車用ジャンクションボックスにおいて、基板とタブ端子とが接続部にバネ性を有するプレスフィット端子で接続されている構成としてもよい。
【発明の効果】
【００１１】
本発明の自動車用ジャンクションボックスは、ジャンクションボックスのヒューズ上流側と下流側を分けて、ヒューズ下流側を基板と該基板に接続されたタブ端子とによって構成したことにより、異なる車種間で使用する際やマイナーチェンジなどで回路の変更があった場合にも莫大な費用を発生することなく、回路変更を容易に行うことができる。
【発明を実施するための最良の形態】
【００１２】
本発明の自動車用ジャンクションボックスは、図１に示すような電源体系図に基づき、設計が行われる。このジャンクションボックス１の電源体型は、ミニヒューズ３を境に、ヒューズ上流側配線２とヒューズ下流側配線４に分けることができる。ヒューズ上流側は、車種が異なってもほとんど変わることはなく、マイナーチェンジなどで変更することもほとんどないのに対し、ヒューズ下流側は、車種間の違いやマイナーチェンジ時の変更も多々起こるといった特徴がある。
【００１３】
そこでこの点に着目し、ヒューズ上流側は従来のような一括でプレスを行う方式から個別のバスバー（一般的に縦バスバーと呼ばれる。）に変更し、ヒューズ下流側は基板と該基板に接続されたタブ端子との組み合わせとする。この場合、基板に接続するタブ端子は専用品ではなく、他のアプリケーションでも使えるような汎用性を持たせた設計とする。
【００１４】
図２は、本発明の自動車用ジャンクションボックスの一実施形態を示す組立斜視図である。本実施形態の自動車用ジャンクションボックス１０は、ハウジング１１とベース１６との間に、ヒューズ上流側回路となる縦バスバー１２と、前記縦バスバー１２にヒューズを介して一端側が接続された縦長細板状の多数のヒューズ下タブ１３と、該ヒューズ下タブ１３の他端側が接続された基板１４と、前記基板１４の下面側に配置され、一端側が前記基板１４の所定位置と接続された縦長細板状の多数の出力側タブ１５と、回路のジョイント部分をなす、自動車用ジャンクションボックス１０とは別体のジョイントコネクタ１７とを挟み込んだ構造になっている。
【００１５】
前記ハウジング１１及びベース１６を構成する材料としては、ポリアミド、ポリプロピレン等が挙げられる。このハウジング１１及びベース１６は、前記材料を射出成形法などによって成形して作製することができる。
【００１６】
前記縦バスバー１２は、所望形状に加工した平板やＦＦ端子などを組み合わせて作製することができる。なお、この縦バスバー１２に代えて、積層バスバーを用いることも可能である。
【００１７】
前記ヒューズ下タブ１３及び出力側タブ１５としては、細板状に加工した音叉状端子等の汎用のタブ端子を用いることが好ましい。
前記基板１４としては、ガラスエポキシ基板、紙フェノール基板、金属をコア材にしたメタルコア基板などが用いられる。
【００１８】
また前記ジョイントコネクタ１７は、特に限定されることなく、従来より自動車用ジャンクションボックス等の分野で周知の各種のジョイントコネクタの中から適宜選択して使用することができる。
【００１９】
なお、本実施形態において、ヒューズは、ハウジング１１の上部に突出して設けられている。
【００２０】
基板１４とヒューズ下タブ１３とは、フロー半田で接続されており、異なる車種間やマイナーチェンジ時の回路変更が起きた場合は、ヒューズ下流側のヒューズ下タブ１３又はヒューズ下タブ１３と基板１４のみを変更すればよいので、バスバーのような莫大な費用を必要とせず、回路変更が行えるようになる。これにより、汎用性を持たせられるだけでなく、設計自由度も増加するといったメリットもある。
【００２１】
回路のジョイント部分に関しては、図２に示すように別体のジョイントコネクタ１７（Ｊ／Ｃ）を付けてもよいし、基板回路内ですべて網羅する形でも構わない。
【００２２】
また、基板１５とタブ端子などとの接続に関しては、半田の他に、プレスフィット方式、マイクロアーク方式、もしくは半田ロボットなどを用いてもよい。
【００２３】
図３は、半田を用いた接続方式を例示する断面図であり、この接続方式では、基板１４の裏面側にヒューズ下タブ１３を突出させ、又は出力側タブ１５をセットし、そのタブ端子の周囲にフロー半田２０を配し、加熱溶融させた後、放冷して固化させ、所望部分を半田で接続する。
【００２４】
図４は、プレスフィットを用いた接続方式を例示する断面図である。この接続方式では、基板１４の所望位置に、図５（ａ）中の符号２３に示すような下穴を設けておき、この下穴２３に、接続部にバネ性を有するプレスフィット端子２２を挿入し、接続する方式である。これに用いるプレスフィット端子２２としては、図５（ｂ）に示す角ピンディンプルスター２４や、図５（ｃ）に示す丸ピンディンプルスター２５等を挙げることができるが、これらに限定されない。
【００２５】
図６は、マイクロアーク溶接を用いた接続方式を例示する断面図である。この接続方式では、基板１４の裏面側にヒューズ下タブ１３を突出させ、又は出力側タブ１５をセットし、そのタブ端子にマイクロアーク溶接機２６から発したマイクロアーク２７を当てて溶接、接続する。
【００２６】
本発明の自動車用ジャンクションボックスは、ジャンクションボックスのヒューズ上流側と下流側を分けて、ヒューズ下流側を基板と該基板に接続されたタブ端子とによって構成したことにより、異なる車種間で使用する際やマイナーチェンジなどで回路の変更があった場合にも莫大な費用を発生することなく、回路変更を容易に行うことができる。
【図面の簡単な説明】
【００２７】
【図１】本発明の自動車用ジャンクションボックスの電源体系の概略図である。
【図２】本発明の自動車用ジャンクションボックスの一実施形態を示す組立斜視図である。
【図３】半田を用いた接続方式を例示する断面図である。
【図４】プレスフィットを用いた接続方式を例示する断面図である。
【図５】プレスフィット端子を例示する図である。
【図６】マイクロアーク溶接を用いた接続方式を例示する断面図である。
【符号の説明】
【００２８】
１，１０…自動車用ジャンクションボックス、２…ヒューズ上流側配線、３…ミニヒューズ、４…ヒューズ下流側配線、１１…ハウジング、１２…縦バスバー、１３…ヒューズ下タブ、１４…基板、１５…出力側タブ、１６…ベース、１７…ジョイントコネクタ、２０…半田、２１…プレスフィット部、２２…プレスフィット端子、２３…下穴、２４…角ピンディンプルスター、２５…丸ピンディンプルスター、２６…マイクロアーク溶接機、２７…マイクロアーク。
【図１】
2007215372.tif 000003
【図２】
2007215372.tif 000004
【図３】
2007215372.tif 000005
【図４】
2007215372.tif 000006
【図５】
2007215372.tif 000007
【図６】
2007215372.tif 000008